(57)【要約】【課題】複数種類の識別票にそれぞれ付された情報コードを一括読取するために必要な準備を正確且つ容易に行うことができ、迅速な一括読取を安定的に行うことが可能な構成を提供する。【解決手段】第１情報コードＣ１が付された第１識別票２０と、第２情報コードＣ２が付された第２識別票３０と、これらを保持可能な識別票保持部１２を有する収容媒体１０とが用いられ、第１識別票２０における所定の第１方向の一端部を識別票保持部１２の所定の支持部１２ｄに当て、第２識別票３０における所定の第２方向の一端部を識別票保持部１２の支持部１２ｄに当て、第１識別票２０と第２識別票３０とを重ねて識別票保持部１２に保持した場合に、第２情報コードＣ２全体が、第１識別票２０における第１方向の他端部よりも支持部１２ｄから遠くなる構成となっている。【選択図】図１
2014149710.tif 000002
【特許請求の範囲】
【請求項１】
情報コードを読み取る情報コード読取装置と、
第１情報コードが付されてなる第１識別票と、
第２情報コードが付されてなる第２識別票と、
前記第１識別票と前記第２識別票とを保持可能に構成された識別票保持部を有する収容媒体と、
を備え、
前記第１識別票における所定の第１方向の一端部を前記識別票保持部の所定の支持部に当て、前記第２識別票における所定の第２方向の一端部を前記識別票保持部の前記支持部に当て、前記第１識別票と前記第２識別票とを重ねて前記識別票保持部に保持した場合に、前記第２識別票の前記第２情報コードの全体が、前記第１識別票における前記第１方向の他端部よりも前記支持部から遠くなる構成であり、
前記情報コード読取装置は、
前記第１識別票の前記第１情報コードと前記第２識別票の前記第２情報コードとを撮像可能な撮像部と、
前記撮像部によって前記第１情報コードと前記第２情報コードとが一括して撮像された場合に、これら前記第１情報コード及び前記第２情報コードをいずれも解読する解読部と、
を有することを特徴とする情報コード読取システム。
【請求項２】
少なくとも前記第１識別票が長手状に構成されており、
前記第１識別票の短手方向一方側の端部を前記支持部に当て、前記第２識別票のいずれかの端部を前記支持部に当てた構成で前記第１識別票と前記第２識別票とを重ねて前記識別票保持部に保持した場合に、前記第２識別票の前記第２情報コードの全体が、前記第１識別票の短手方向他方側の端部よりも前記支持部から離れた位置に配置されることを特徴とする請求項１に記載の情報コード読取システム。
【請求項３】
前記第１識別票と前記第２識別票とがいずれも長手状に構成されており、
前記第１識別票の前記短手方向一方側の端部を前記支持部に当て、前記第２識別票の長手方向一方側の端部を前記支持部に当てた構成で前記第１識別票と前記第２識別票とを重ねて前記識別票保持部に保持した場合に、前記第２識別票の前記第２情報コードの全体が、前記第１識別票の前記短手方向他方側の端部よりも前記支持部から離れた位置に配置されることを特徴とする請求項２に記載の情報コード読取システム。
【請求項４】
前記第１識別票の短手方向一方側の端部を前記支持部に当て、前記第２識別票の長手方向他方側の端部を前記支持部に当てた構成で前記第１識別票と前記第２識別票とを重ねて前記識別票保持部に保持した場合に、前記第２識別票の前記第２情報コードの全体が、前記第１識別票の前記短手方向他方側の端部よりも前記支持部から離れた位置に配置されることを特徴とする請求項３に記載の情報コード読取システム。
【請求項５】
前記識別票保持部は、前記支持部が前記収容媒体において所定方向に延び、且つ前記支持部とは異なる第２支持部が、前記支持部の方向とは異なる方向に延びており、
前記第１識別票のいずれかの端部を前記支持部に当て且つ当該支持部に当てられる端部とは異なる他の端部を前記第２支持部に当て、前記第２識別票のいずれかの端部を前記支持部に当て且つ当該支持部に当てられる端部とは異なる他の端部を前記第２支持部に当てた構成で前記第１識別票と前記第２識別票とを重ねて前記識別票保持部に保持した場合に、前記第１識別票の前記第１情報コードの全体が、前記第２識別票における前記第２支持部とは反対側の端部よりも前記第２支持部から離れた位置に配置されることを特徴とする請求項１から請求項４のいずれか一項に記載の情報コード読取システム。
【請求項６】
前記識別票保持部は、前記支持部及び前記第２支持部とは異なる第３支持部が、前記第２支持部と対向する位置において前記支持部の方向とは異なる方向に延びており、
前記第１識別票のいずれかの端部を前記支持部に当て且つ前記第２支持部とは反対側の端部を前記第３支持部に当て、前記第２識別票のいずれかの端部を前記支持部に当て且つ当該支持部に当てられる端部とは異なる端部を前記第３支持部に当てた構成で前記第１識別票と前記第２識別票とを重ねて前記識別票保持部に保持した場合に、前記第１識別票の前記第１情報コードの全体が、前記第２識別票における前記第３支持部とは反対側の端部よりも前記第３支持部から離れた位置に配置されることを特徴とする請求項５に記載の情報コード読取システム。
【請求項７】
情報コードを撮像する撮像部と、前記撮像部によって撮像された情報コードを解読する解読部とを備えた情報コード読取装置と、
第１情報コードが付されてなる第１識別票と、
第２情報コードが付されてなる第２識別票と、
前記第１識別票と前記第２識別票とを保持可能に構成された識別票保持部を有する収容媒体と
を用いて前記第１情報コード及び前記第２情報コードを読み取る情報コード読取方法であって、
前記第１識別票における所定の第１方向の一端部を前記識別票保持部の所定の支持部に当て、前記第２識別票における所定の第２方向の一端部を前記識別票保持部の前記支持部に当て、前記第１識別票と前記第２識別票とを重ねて前記識別票保持部に保持した場合に、前記第２識別票の前記第２情報コードの全体が、前記第１識別票における前記第１方向の他端部よりも前記支持部から遠くなるように構成し、
前記第１情報コードと前記第２情報コードとがいずれも外部から視認可能となる構成で前記第１識別票及び前記第２識別票を前記識別票保持部に保持した状態で、前記撮像部により前記第１情報コードと前記第２情報コードとを一括して撮像し、
前記撮像部によって一括して撮像された前記第１情報コード及び前記第２情報コードを、前記解読部によって解読することを特徴とする情報コードの読取方法。
【請求項８】
第１情報コードが付されてなる第１識別票と、
第２情報コードが付されてなる第２識別票と、
前記第１識別票と前記第２識別票とを保持可能に構成された識別票保持部を有する収容媒体と、
を備え、
前記第１識別票における所定の第１方向の一端部を前記識別票保持部の所定の支持部に当て、前記第２識別票における所定の第２方向の一端部を前記識別票保持部の前記支持部に当て、前記第１識別票と前記第２識別票とを重ねて前記識別票保持部に保持した場合に、前記第２識別票の前記第２情報コードの全体が、前記第１識別票における前記第１方向の他端部よりも前記支持部から遠くなる構成であることを特徴とする識別票の保持構造。
【発明の詳細な説明】
【技術分野】
【０００１】
本発明は、情報コード読取システム、情報コードの読取方法、及び識別票の保持構造に関するものである。
【背景技術】
【０００２】
製品の製造工程や物流工程などでは、例えば「かんばん」とも称される現品票などが識別票として使用されており、この識別票には工程で用いる様々なデータが書き込まれている。また、識別票のデータを効率的に認識するために識別票に情報コードが付されるケースも多く、情報コードに書き込まれたデータは、各工程や入出荷の際の照合などで利用されている。
【先行技術文献】
【特許文献】
【０００３】
【特許文献１】特開２００２−４２０５３公報
【発明の概要】
【発明が解決しようとする課題】
【０００４】
ところで、製造工程や物流工程等の現場では、例えば同一の製品収納箱に複数種類の識別票が付されるケースがあり、これら複数種類の識別票を同時期に認識することを求められる場合もある。例えば、ある工場内では、第１の種類の識別票を用い、その後の外部の工場ではこれとは別の第２の種類の識別票を用いるといったケースもあり、このようなケースでは、読取装置によって第１の種類の識別票に付された情報コードを読み取った後、続いて第２の識別票に付された情報コードを読み取り、これらの読取結果に基づく処理（例えば照合等）を行うことになる。しかしながら、このような方法では、読み取り作業を少なくとも２回以上行わなければならないため作業性が悪く、作業時間の増大も避けられない。特に、二種類の識別票を手に持ちつつ読取装置をも把持して読み取りを行うといった作業が必要となり、極めて非効率となる。また、いずれか又は両方の識別票を把持して独立して読み取りつつ、その後に差し込みや差し替え等を行うと、読み取り後に差し間違えが生じる可能性があり、読取結果と実際に付された識別票が整合していないといった事態が生じ得る。
【０００５】
一方、特許文献１には、複数の情報コードの一括読取りを行う技術が開示されており、この技術によれば２種類の情報コードを一度に読み取ることができるため、これを識別票の認識に適用すれば読取時間の削減の可能性がある。しかしながら、複数種類の識別票に付された各情報コードを一括して読み取ろうとする場合、これら情報コードを互いに近接させ且つ全て重ならない位置関係で一定時間保持する必要があり、且つその状態で撮像エリア内に収めるように読み取り作業を行わなければならない。このような方法では、複数種類の識別票を適切な位置関係に定めるために手間取ってしまうことになり、各情報コードを別々に読み取る場合よりも時間がかかってしまう虞もある。また、複数種類の識別票をどのように配置するかは、作業者の感覚や熟練度に大きく依存せざるを得ず、迅速な一括読取を安定的に行うことは困難であった。
【０００６】
本発明は、上述した課題を解決するためになされたものであり、複数種類の識別票にそれぞれ付された情報コードを一括読取するために必要な準備を正確且つ容易に行うことができ、迅速な一括読取を安定的に行うことが可能な情報コード読取システム、情報コードの読取方法、及び識別票の保持構造を提供することを目的とする。
【課題を解決するための手段】
【０００７】
第１の発明は、情報コード読取システムであって、
情報コードを読み取る情報コード読取装置と、
第１情報コードが付されてなる第１識別票と、
第２情報コードが付されてなる第２識別票と、
前記第１識別票と前記第２識別票とを保持可能に構成された識別票保持部を有する収容媒体と
を備え、
前記第１識別票における所定の第１方向の一端部を前記識別票保持部の所定の支持部に当て、前記第２識別票における所定の第２方向の一端部を前記識別票保持部の前記支持部に当て、前記第１識別票と前記第２識別票とを重ねて前記識別票保持部に保持した場合に、前記第２識別票の前記第２情報コードの全体が、前記第１識別票における前記第１方向の他端部よりも前記支持部から遠くなる構成であり、
前記情報コード読取装置は、
前記第１識別票の前記第１情報コードと前記第２識別票の前記第２情報コードとを撮像可能な撮像部と、
前記撮像部によって前記第１情報コードと前記第２情報コードとが一括して撮像された場合に、これら前記第１情報コード及び前記第２情報コードをいずれも解読する解読部と、
を有することを特徴とする。
【０００８】
第２の発明は、情報コードを撮像する撮像部と、前記撮像部によって撮像された情報コードを解読する解読部とを備えた情報コード読取装置と、
第１情報コードが付されてなる第１識別票と、
第２情報コードが付されてなる第２識別票と、
前記第１識別票と前記第２識別票とを保持可能に構成された識別票保持部を有する収容媒体と
を用いて前記第１情報コード及び前記第２情報コードを読み取る情報コード読取方法であって、
前記第１識別票における所定の第１方向の一端部を前記識別票保持部の所定の支持部に当て、前記第２識別票における所定の第２方向の一端部を前記識別票保持部の前記支持部に当て、前記第１識別票と前記第２識別票とを重ねて前記識別票保持部に保持した場合に、前記第２識別票の前記第２情報コードの全体が、前記第１識別票における前記第１方向の他端部よりも前記支持部から遠くなるように構成し、
前記第１情報コードと前記第２情報コードとがいずれも外部から視認可能となる構成で前記第１識別票及び前記第２識別票を前記識別票保持部に保持した状態で、前記撮像部により前記第１情報コードと前記第２情報コードとを一括して撮像し、
前記撮像部によって一括して撮像された前記第１情報コード及び前記第２情報コードを、前記解読部によって解読することを特徴とする。
【０００９】
第３の発明は、識別票の保持構造であって、
第１情報コードが付されてなる第１識別票と、
第２情報コードが付されてなる第２識別票と、
前記第１識別票と前記第２識別票とを保持可能に構成された識別票保持部を有する収容媒体と、
を備え、
前記第１識別票における所定の第１方向の一端部を前記識別票保持部の所定の支持部に当て、前記第２識別票における所定の第２方向の一端部を前記識別票保持部の前記支持部に当て、前記第１識別票と前記第２識別票とを重ねて前記識別票保持部に保持した場合に、前記第２識別票の前記第２情報コードの全体が、前記第１識別票における前記第１方向の他端部よりも前記支持部から遠くなる構成であることを特徴とする。
【発明の効果】
【００１０】
請求項１の発明は、第１識別票における所定の第１方向の一端部を識別票保持部の所定の支持部に当て、第２識別票における所定の第２方向の一端部を前記支持部に当て、第１識別票と前記第２識別票とを重ねて識別票保持部に保持した場合に、第２識別票の第２情報コードの全体が、第１識別票における第１方向の他端部よりも支持部から遠くなる構成となっている。このように構成されているため、第１識別票を保持させる場合には、第１方向の一端部を支持部に当てるように保持させ、第２識別票を保持させる場合には第２方向の一端部を支持部に当てるように保持させさえすれば、第２識別票に付された第２情報コードが第１識別票に隠れるようなことがなくなる。従って、それほど細かい配置を意識することなく第２情報コードを視認可能に配置しやすくなる。また、第１情報コードについては、第１識別票を第２識別票の前側に配置すれば良く、仮に第１識別票を後ろ側に配置する場合でも、第１情報コードを露出する位置調整だけで済む。そして、このように一括読取のための準備を迅速かつ容易に行った上で、情報コード読取装置によって一括読取を行えば、両情報コードを短時間でより正確に読み取ることが可能となる。
【００１１】
請求項２の発明では、少なくとも前記第１識別票が長手状に構成されており、前記第１識別票の短手方向一方側の端部を前記支持部に当て、前記第２識別票のいずれかの端部を前記支持部に当てた構成で前記第１識別票と前記第２識別票とを重ねて前記識別票保持部に保持した場合に、前記第２識別票の前記第２情報コードの全体が、前記第１識別票の短手方向他方側の端部よりも前記支持部から離れた位置に配置されるようになっている。
このように、第２識別票の一部を第１識別票の短手方向他端側から飛び出させるように構成すれば、第２識別票において第１識別票に隠れる領域を極力狭くすることができる。
【００１２】
請求項３の発明では、前記第１識別票と前記第２識別票とがいずれも長手状に構成されており、前記第１識別票の前記短手方向一方側の端部を前記支持部に当て、前記第２識別票の長手方向一方側の端部を前記支持部に当てた構成で前記第１識別票と前記第２識別票とを重ねて前記識別票保持部に保持した場合に、前記第２識別票の前記第２情報コードの全体が、前記第１識別票の前記短手方向他方側の端部よりも前記支持部から離れた位置に配置されるようになっている。
この構成によれば、第２識別票を第１識別票とは異なる向きに配置し且つ長手方向一方側の端部を当接させるという簡単かつ明確な作業で第２識別票の第２情報コードを視認可能に配置することができる。
【００１３】
請求項４の発明では、前記第１識別票の短手方向一方側の端部を前記支持部に当て、前記第２識別票の長手方向他方側の端部を前記支持部に当てた構成で前記第１識別票と前記第２識別票とを重ねて前記識別票保持部に保持した場合に、前記第２識別票の前記第２情報コードの全体が、前記第１識別票の前記短手方向他方側の端部よりも前記支持部から離れた位置に配置される。
この構成では、第２識別票を長手方向一方側から挿し込んで当接させても、長手方向他方側から挿し込んで当接させても、いずれの場合でも第２情報コードが第１識別票に隠れずに視認可能となる。従って、第２識別票の向きを強いることなく一層の作業の容易化、迅速化を図ることができる。また、第２識別票をどちらの向きに挿し込んでも読み取りが可能となるため、挿し込みミスに起因する解読不良等も抑制しやすくなる。
【００１４】
請求項５の発明では、前記識別票保持部は、前記支持部が前記収容媒体において所定方向に延び、且つ前記支持部とは異なる第２支持部が、前記支持部の方向とは異なる方向に延びており、前記第１識別票のいずれかの端部を前記支持部に当て且つ当該支持部に当てられる端部とは異なる他の端部を前記第２支持部に当て、前記第２識別票のいずれかの端部を前記支持部に当て且つ当該支持部に当てられる端部とは異なる他の端部を前記第２支持部に当てた構成で前記第１識別票と前記第２識別票とを重ねて前記識別票保持部に保持した場合に、前記第１識別票の前記第１情報コードの全体が、前記第２識別票における前記第２支持部とは反対側の端部よりも前記第２支持部から離れた位置に配置されるようになっている。
この構成では、第１識別票の他の端部を第２支持部に当て、第２識別票の他の端部を第２支持部に当てるという簡単な作業を追加するだけで、第２情報コードだけでなく、第１情報コードについても、第２識別票に隠れるリスクを抑えてより確実に視認可能とすることができる。
【００１５】
請求項６の発明では、前記識別票保持部は、前記支持部及び前記第２支持部とは異なる第３支持部が、前記第２支持部と対向する位置において前記支持部の方向とは異なる方向に延びており、前記第１識別票のいずれかの端部を前記支持部に当て且つ前記第２支持部とは反対側の端部を前記第３支持部に当て、前記第２識別票のいずれかの端部を前記支持部に当て且つ当該支持部に当てられる端部とは異なる端部を前記第３支持部に当てた構成で前記第１識別票と前記第２識別票とを重ねて前記識別票保持部に保持した場合に、前記第１識別票の前記第１情報コードの全体が、前記第２識別票における前記第３支持部とは反対側の端部よりも前記第３支持部から離れた位置に配置されるようになっている。
この構成では、第１識別票及び第２識別票のそれぞれの所定端部を第３支持部に当てても、第１情報コードの視認確実性を高めることができる。特に、作業者が第１識別票及び第２識別票を第２支持部と第３支持部のどちらに当てるべきかを迷わなくても良く、一層の作業の容易化、迅速化を図ることができる。また、第１識別票及び第２識別票を第２支持部及び第３支持部のどちらに当てても第１情報コードを視認させやすくなるため、当接位置のミスに起因する解読不良等も抑制しやすくなる。
【００１６】
請求項７の発明によれば、請求項１と同様の効果を奏する読取方法を実現できる。
【００１７】
請求項８の発明によれば、請求項１と同様の効果を奏する識別票の保持構造を実現できる。
【図面の簡単な説明】
【００１８】
【図１】図１は、本発明の第１実施形態に係る情報コード読取システムを概略的に例示する説明図である。
【図２】図２は、図１の情報コード読取システムで用いられる収容媒体を概略的に例示する平面図である。
【図３】図３（Ａ）は第１識別票を例示する説明図であり、図３（Ｂ）は、第２識別票を例示する説明図である。
【図４】図４は、第１識別票と第２識別票とが支持部で支持される所定の位置関係とした場合の情報コードの位置等を説明する説明図である。
【図５】図５は、第１識別票と第２識別票とが支持部で支持される所定の位置関係であって、図４とは異なる位置関係とした場合の情報コードの位置等を説明する説明図である。
【図６】図６は、第１識別票及び第２識別票を保持した収容媒体を積み重ねた構成を説明する説明図である。
【図７】図７は、図１の情報コード読取システムで用いられる情報コード読取装置の電気的構成を概略的に例示するブロック図である。
【発明を実施するための形態】
【００１９】
[第１実施形態]
以下、本発明を具現化した第１実施形態について、図面を参照して説明する。
本実施形態に係る情報コード読取システム１は、情報コードＣを読み取る情報コード読取装置５０と、第１情報コードＣ１が付されてなる第１識別票２０と、第２情報コードＣ２が付されてなる第２識別票３０と、第１識別票２０と第２識別票３０とを保持可能に構成された識別票保持部１２を有する収容媒体１０とを備えており、このような構成を基本構成としている。
【００２０】
（識別票の保持構造）
まず、識別票の保持構造について説明する。図１、図４に示すように、本構成では、例えば２種類の識別票（第１識別票２０、第２識別票３０）が用いられるようになっている。これら第１識別票２０、第２識別票３０は、例えば「かんばん」として用いられる現品票等として構成され、紙や樹脂材料などによって薄い厚さのシート状に構成されている。
【００２１】
第１識別票２０は、例えば所定の区域内（例えば工場内）で収容媒体１０に付されて用いられる現品票として構成されており、所定の位置に第１情報コードＣ１が付され、且つ第１情報コードＣ１以外にも様々な情報（付される収容媒体１０の内部に収容される製品の情報など）が文字、数字、その他の記号、図形などによって記録されている。
【００２２】
第２識別票３０は、例えば所定の区域（第１識別票２０を付して使用する区域）とは異なる他の区域（例えば他の工場や他の企業内）で収容媒体１０に付されて用いられる現品票として構成されており、所定の位置に第２情報コードＣ２が付され、且つ第２情報コードＣ２以外にも様々な情報（付される収容媒体１０の内部に収容される製品の情報など）が文字、数字、その他の記号、図形などによって記録されている。
【００２３】
収容媒体１０は、例えば、金属材料や樹脂材料などからなる箱状形態をなし、製品や半製品或いはその他の物体を収容する収容箱として構成されている。この収容媒体１０は、図１、図２に示すように、四方が側壁部によって環状に囲まれており、これら側壁部の下端部に底壁部１０ｃが連結されて箱状形態となっている。
【００２４】
図１、図２に示すように、収容媒体１０のいずれか一つの側壁部１０ａには、第１識別票２０と第２識別票３０とを保持可能に構成された識別票保持部１２が形成されている。この識別票保持部１２は、第１識別票２０と第２識別票３０を挿し込んで保持し得るポケット状に構成されており、下端部には、ポケット構造の底部として構成される支持部１２ｄが設けられている。また、横方向一端部には、ポケット構造の横方向一端側の内壁を構成する第２支持部１２ｂが設けられている。また、横方向他端部には、ポケット構造の横方向他端側の内壁を構成する第３支持部１２ｃが設けられている。支持部１２ｄは、収容媒体１０の横方向に直線状に延びており、第２支持部１２ｂは、収容媒体１０の上下方向に直線状に延びている。また、第３支持部１２ｃは、収容媒体１０の上下方向に直線状に延びている。そして、第２支持部１２ｂと第３支持部１２ｃとが左右に向かい合い、後述する前側カバー１２と側壁部１０ａ（具体的には側壁部１０ａにおいて前側カバー１２と対向する領域部分）とが前後に向かい合い、これら向かい合う部分のそれぞれの下端部に支持部１２ｄが底部として連結された略箱状（ポケット状）の形態で識別票保持部１２が設けられている。
【００２５】
図１、図２に示すように、支持部１２ｄ、第２支持部１２ｂ、第３支持部１３ｃに連結された構造で、収容された識別票を覆う前側カバー１２ａが設けられている。この前側カバー１２ａは、例えば透明な樹脂材料によってシート状に構成されており、図１のように第１識別票２０が識別票保持部１２に収容され、前側カバー１２ａが第１識別票２０を覆っている場合でも、収容媒体１０の外部から前側カバー１２ａを介して内部（ポケット構造で構成される識別票保持部１２の内部）に収容された第１識別票２０の内容が視認できるようになっている。また、識別票保持部１２での収納領域は、第１識別票２０と同程度或いは第１識別票２０よりもやや広いサイズで構成されており、図１のように第１識別票２０の長手方向が識別票保持部１２の横方向に収まるように収容可能とされている。なお、図２では、シート状の前側カバー１２ａを実線にて概念的に示している。また、本構成では、底壁部１０ａの底面と直交する方向が収容媒体１０の上下方向であり、側壁部１０ａとその反対側の側壁部１０ｂとが対向する方向が収容媒体１０の前後方向となっている。また、これら上下方向及び前後方向と直交する方向が収容媒体１０の横方向（左右方向）となっている。
【００２６】
そして、これら識別票保持部１２、第１識別票２０、第２識別票３０は、図１のように、第１識別票２０における所定の第１方向（具体的には第１識別票２０の短手方向）の一端部２１を識別票保持部１２の支持部１２ｄに当て、第２識別票３０における所定の第２方向（具体的には第２識別票３０の長手方向）の一端部３３を識別票保持部１２の支持部１２ｄに当て、第１識別票２０と第２識別票３０とを重ねて識別票保持部１２に保持した場合に、第２識別票３０の第２情報コードＣ２の全体が、第１識別票２０における第１方向（第１識別票２０の短手方向）の他端部２２よりも支持部１２ｄから遠くなり、第２情報コードＣ２全体が第１識別票２０と重ならずに識別票保持部１２の外部から視認可能となっている。つまり、このような保持状態のときには、第２識別票３０に付された第２情報コードＣ２の全体が第１識別票２０の上位置に配置され、第１識別票２０が第２識別票３０の前にあっても後ろにあっても、第２情報コードＣ２の全体が第１識別票２０に隠されないようになっている。
【００２７】
具体的には、図３のように第１識別票２０と第２識別票３０とがいずれも長手状に構成されており、図１、図４のように、第１識別票２０の短手方向一方側の端部（下端部）２１を識別票保持部１２の内壁における支持部１２ｄの内壁面に当て、第２識別票３０の長手方向一方側の端部３３を識別票保持部１２の内壁における支持部１２ｄの内壁面に当てた構成で第１識別票２０と第２識別票３０とを重ねて識別票保持部１２に保持した場合に、第２識別票３０の第２情報コードＣ２の全体が、第１識別票２０の短手方向他方側の端部２２よりも支持部１２ｄから離れた位置に配置されるようになっている。即ち、平面視長方形状に構成される第１識別票２０の幅（短手方向の長さ）Ｈ１よりも、平面視長方形状に構成される第２識別票３０の長手方向における端部３３から第２情報コードＣ２までの距離Ｌ２１の方が長くなっている。
【００２８】
更に、第１識別票２０については図１のように短手方向一方側の端部（下端部）２１を支持部１２ｄに当て、第２識別票３０については図１とは逆で長手方向他方側の端部３４を支持部１２ｄに当てた構成で第１識別票２０と第２識別票３０とを重ねて識別票保持部１２に保持した場合にも、第２識別票３０の第２情報コードＣ２の全体が、第１識別票２０の短手方向他方側の端部２２よりも支持部１２ｄから離れた位置に配置されるようになっている。即ち、第１識別票２０の幅（短手方向の長さ）Ｈ１よりも、第２識別票３０の長手方向における端部３４から第２情報コードＣ２までの距離Ｌ２２の方が長くなっている。
【００２９】
なお、本構成では、平面視長方形状に構成される第２識別票３０の幅（短手方向の長さ）Ｈ２よりも、第１識別票２０の長手方向における端部２３から第１情報コードＣ１までの距離Ｌ１１の方が長くなっており、更には、第２識別票３０の幅Ｈ２よりも、第１識別票２０の長手方向における端部２４から第１情報コードＣ１までの距離Ｌ１２の方が長くなっている。つまり、第２識別票３０を図１の第１識別票２０のように、即ち第２識別票３０の長手方向が収容媒体１０の横方向となるように横向きに挿し込み、第１識別票２０の長手方向が収容媒体１０の上下方向となるように第１識別票２０を縦に挿し込むように入れ替えても（より具体的には、端部２３が下となる向きでも、端部２４が下となる向きでも）同様の効果が得られ、この場合には、第１識別票２０の第１情報コードＣ１が第２識別票３０に隠されずに視認可能となる。
【００３０】
更に、識別票保持部１２は、支持部１２ｄが収容媒体１０において所定方向（横方向）に直線状に延び、且つ支持部１２ｄとは異なる第２支持部１２ｂが、支持部１２ｄの方向とは異なる方向（支持部１２ｄの方向と直交する縦方向）に直線状に延びており、図１のように第１識別票２０の下端部２１を支持部１２ｄに当て且つ当該支持部１２ｄに当てられる下端部２１とは異なる左端部２３を正面視左側の第２支持部１２ｂに当て、第２識別票３０の長手方向一端側の端部３３を支持部１２ｄに当て且つ当該支持部１２ｄに当てられる端部３３とは異なる他の端部３２（短手方向一方側の端部）を第２支持部１２ｂに当てた構成で第１識別票２０と第２識別票３０とを重ねて識別票保持部１２に保持した場合に、第１識別票２０の第１情報コードＣ１の全体が、第２識別票３０における第２支持部１２ｂとは反対側の端部３１よりも第２支持部１２ｂから離れた位置に配置されるようになっている。つまり、上述したように第２識別票３０の幅Ｈ２よりも、第１識別票２０の長手方向における端部２３から第１情報コードＣ１までの距離Ｌ１１の方が長くなっているため、第２識別票３０を左に寄せた上述の当接状態のときには、第１識別票２０が第２識別票３０の前にあっても後ろにあっても、第１情報コードＣ１が第２識別票３０に隠されず、第１情報コードＣ１と第２情報コードＣ２とがいずれも外部から視認可能となる。
【００３１】
また、識別票保持部１２は、支持部１２ｄ及び第２支持部１２ｂとは異なる第３支持部１２ｃが、第２支持部１２ｂと対向する位置において支持部１２ｄの方向とは異なる方向（具体的には、横方向に延びる支持部１２ｄの方向と直交する上下方向）に延びており、第１識別票２０のいずれかの端部２１を支持部１２ｄに当て且つ第２支持部１２ｂとは反対側の右端部２４を正面視右側の第３支持部１２ｃに当て、第２識別票３０の長手方向のいずれかの端部３３を支持部１２ｄに当て且つ当該支持部１２ｄに当てられる端部３３とは異なる短手方向の端部３１を第３支持部１２ｃに当てた構成で第１識別票２０と第２識別票３０とを重ねて識別票保持部１２に保持した場合、第２識別票３０は、図４の二点鎖線３０’のような位置関係となる。このとき、第１識別票２０の第１情報コードＣ１の全体が、第２識別票３０における第３支持部１２ｃとは反対側の端部３２よりも第３支持部１２ｃから離れた位置に配置されるようになっている。つまり、上述したように第２識別票３０の幅Ｈ２よりも、第１識別票２０の長手方向における端部２４から第１情報コードＣ１までの距離Ｌ１２の方が長くなっているため、第２識別票３０を右に寄せた上述の当接状態のときには、第１識別票２０が第２識別票３０の前にあっても後ろにあっても、第１情報コードＣ１が第２識別票３０に隠されないようになっている。
【００３２】
（情報コード読取装置）
次に、情報コード読取装置５０の全体構成について説明する。
図７に示すように、情報コード読取装置５０は、ハードウェア的には一次元コードや二次元コードを読取可能なコードリーダとして構成されており、図示しないケースによって外郭が構成され、このケース内に各種電子部品が収容された構成をなしている。
【００３３】
この情報コード読取装置５０は、主に、照明光源５１、受光センサ５３、フィルタ５５、結像レンズ５７等の光学系と、メモリ６５、制御回路７０、操作スイッチ７２、液晶表示装置７５等のマイクロコンピュータ（以下「マイコン」という）系と、電源スイッチ７１、電池７９等の電源系と、から構成されている。なお、これらは、図略のプリント配線板に実装あるいはケース（図示略）内に内装されている。
【００３４】
光学系は、照明光源５１、受光センサ５３、フィルタ５５、結像レンズ５７等から構成されている。照明光源５１は、照明光Ｌｆを発光可能な照明光源として機能するもので、例えば、赤色のＬＥＤとこのＬＥＤの出射側に設けられる拡散レンズ、集光レンズ等とから構成されている。本実施形態では、受光センサ５３を挟んだ両側に照明光源５１が設けられており、ケースに形成された読取口（図示略）を介して読取対象物Ｒに向けて照明光Ｌｆを照射可能に構成されている。本構成では、複数の識別票が読取対象物Ｒとなり、これらに付される情報コードが読取対象の情報コードＣとなる。
【００３５】
受光センサ５３は、読取対象物Ｒや情報コードＣに照射されて反射した反射光Ｌｒを受光可能に構成されるもので、例えば、Ｃ−ＭＯＳやＣＣＤ等の固体撮像素子である受光素子を２次元に配列したエリアセンサが、これに相当する。この受光センサ５３は、結像レンズ５７を介して入射する入射光を受光面５３ａで受光可能に図略のプリント配線板に実装されている。なお、受光センサ５３は、第１識別票２０の第１情報コードＣ１と第２識別票３０の第２情報コードＣ２とを撮像可能な「撮像部」の一例に相当する。
【００３６】
フィルタ５５は、例えば反射光Ｌｒの波長相当以下の光の通過を許容し、当該波長相当を超える光の通過を遮断し得る光学的なローパスフィルタで、ケースに形成された読取口（図示略）と結像レンズ５７との間に設けられている。これにより、反射光Ｌｒの波長相当を超える不要な光が受光センサ５３に入射することを抑制している。また、結像レンズ５７は、例えば、鏡筒とこの鏡筒内に収容される複数の集光レンズとによって構成されており、本実施形態では、ケースに形成された読取口（図示略）に入射する反射光Ｌｒを集光し、受光センサ５３の受光面５３ａに情報コードＣのコード画像を結像するように構成されている。
【００３７】
マイコン系は、増幅回路６１、Ａ／Ｄ変換回路６３、メモリ６５、アドレス発生回路６６、同期信号発生回路６８、制御回路７０、操作スイッチ７２、ＬＥＤ７３、ブザー７４、液晶表示装置７６、通信インタフェース７８等から構成されている。このマイコン系は、マイコン（情報処理装置）として機能し得る制御回路７０及びメモリ６５を中心として構成され、前述した光学系によって撮像された情報コードＣの画像信号をハードウェア的およびソフトウェア的に信号処理し得るものである。
【００３８】
光学系の受光センサ５３から出力される画像信号（アナログ信号）は、増幅回路６１に入力されることで所定ゲインで増幅された後、Ａ／Ｄ変換回路６３に入力され、アナログ信号からディジタル信号に変換される。そして、ディジタル化された画像信号、つまり画像データ（画像情報）は、メモリ６５に入力され、当該メモリ６５の画像データ蓄積領域に蓄積される。なお、同期信号発生回路６８は、受光センサ５３およびアドレス発生回路６６に対する同期信号を発生可能に構成されており、またアドレス発生回路６６は、この同期信号発生回路６８から供給される同期信号に基づいて、メモリ６５に格納される画像データの格納アドレスを発生可能に構成されている。
【００３９】
メモリ６５は、半導体メモリ装置などによって構成され、例えばＲＡＭ（ＤＲＡＭ、ＳＲＡＭ等）やＲＯＭ（ＥＰＲＯＭ、ＥＥＰＲＯＭ等）等がこれに相当する。このメモリ６５のうちのＲＡＭには、前述した画像データ蓄積領域のほかに、制御回路７０が算術演算や論理演算等の各処理時に利用する作業領域や読取条件テーブルも確保可能に構成されている。またＲＯＭには、後述する読取処理等を実行可能な所定プログラムやその他、照明光源５１、受光センサ５３等の各ハードウェアを制御可能なシステムプログラム等が予め格納されている。
【００４０】
制御回路７０は、情報コード読取装置５０全体を制御可能なマイコンで、ＣＰＵ、システムバス、入出力インタフェース等からなるものであり、情報処理機能を有している。この制御回路７０には、内蔵された入出力インタフェースを介して種々の入出力装置（周辺装置）が接続されており、本実施形態の場合、電源スイッチ７１、操作スイッチ７２、ＬＥＤ７３、ブザー７４、液晶表示装置７５、通信インタフェース７８等が接続されている。また、通信インタフェース７８には、情報コード読取装置５０の上位システムに相当するホストコンピュータＨＳＴなどを接続できるようになっている。
【００４１】
なお、制御回路７０は、解読部の一例に相当し、受光センサ５３（撮像部）によって第１情報コードＣ１と第２情報コードＣ２とが一括して撮像された場合に、これら第１情報コードＣ１及び第２情報コードＣ２をいずれも解読するように機能する。なお、解読方法は、例えばＱＲコード等で用いられる公知のデコード方法を用いることができ、他の情報コード（一次元バーコード、データマトリックスコード、マキシコード等）を使用する場合には、この情報コードの種別で一般的に用いられる公知のデコード方法を用いることができる。また、撮像画像に複数種類の情報コードが混在していても、公知の方法で支障なく読み取ることができる。
【００４２】
電源系は、電源スイッチ７１、電池７９等により構成されており、制御回路７０により管理される電源スイッチ７１のオンオフによって、上述した各装置や各回路に、電池７９から供給される駆動電圧の導通や遮断が制御されている。なお、電池７９は、所定の直流電圧を発生可能な２次電池で、例えば、リチウムイオン電池等がこれに相当する。
【００４３】
（情報コード読取方法）
このような読取装置を用いて読取作業を行う場合、まず、第１識別票２０における所定の第１方向の一端部を識別票保持部１２の所定の支持部１２ｄに当て、第２識別票３０における所定の第２方向の一端部を識別票保持部１２の支持部１２ｄに当て、第１識別票２０と第２識別票３０とを重ねて識別票保持部１２に保持する。例えば、第１識別票２０の下端部２１を支持部１２ｄに当てるように横向きに配置し、第２識別票３０の長手方向一端部（端部３３又は端部３４）を支持部１２ｄに当てるように縦向きに配置し、第１識別票２０と第２識別票３０とを重ねて識別票保持部１２に保持する。これにより、第２識別票３０の第２情報コードＣ２の全体が、第１識別票２０の上端部２２よりも支持部１２ｄから遠くなるように配置することができる。なお、第１識別票２０を第２識別票３０の前に配置することが前提であれば、図４のように第２識別票３０を識別票保持部１２の左右いずれか一方に寄せた位置関係でも、図５のように第２識別票３０を識別票保持部１２の中央付近に配置した位置関係でも、両識別票の情報コードＣ１，Ｃ２が同時に視認可能となる。
【００４４】
また、第１識別票２０と第２識別票３０のどちらを前にするか決まっていない場合には、例えば、図４のように、第１識別票２０の下端部２１を支持部１２ｄに当て且つ当該支持部１２ｄに当てられる端部２１とは異なる左端部２３を左側の第２支持部１２ｂに当て、第２識別票３０の長手方向一方側の端部（例えば端部３３）を支持部１２ｄに当て且つ当該支持部１２ｄに当てられる端部とは異なる短手方向一方側の端部（例えば端部３２）を第２支持部１２ｂに当てた構成で第１識別票２０と第２識別票３０とを重ねて識別票保持部１２に保持すればよい。また、第１識別票２０の下端部２１を支持部１２ｄに当て且つ第２支持部１２ｂとは反対側の右端部２４を第３支持部１２ｃに当て、第２識別票３０の長手方向一方側の端部（例えば端部３３）を支持部１２ｄに当て且つ当該支持部１２ｄに当てられる端部３３とは異なる短手方向一方側の端部（例えば端部３１）を第３支持部１２ｃに当てた構成で第１識別票２０と第２識別票３０とを重ねて識別票保持部１２に保持してもよい。つまり、識別票保持部１２に対して第１識別票２０を横向き収容した場合、第２識別票３０を左側に寄せても、右側に寄せても両情報コードＣ１、Ｃ２が同時に視認可能となる。
【００４５】
そして、両情報コードＣ１、Ｃ２が同時に視認可能となるいずれかの配置構成で、第１識別票２０及び第２識別票３０を識別票保持部１２に保持し、その状態で受光センサ５３（撮像部）により第１情報コードＣ１と第２情報コードＣ２とを一括して撮像する。この一括撮像では、例えば単一の撮像画像内に第１情報コードＣ１のコード画像と第２情報コードＣ２のコード画像とが含まれることになる。そして、受光センサ５３（撮像部）によって一括して撮像された第１情報コードＣ１及び第２情報コードＣ２を、解読部によって公知のデコード方法により解読し、その解読結果を記憶或いは出力する。なお、第１情報コードＣ１及び第２情報コードＣ２の解読結果を用いた処理としては、例えば、第１情報コードＣ１の解読データと、第２情報コードＣ２の解読データとを照合する処理や、両コードの解読データをそれぞれ対応付けて登録する処理などが挙げられる。
【００４６】
（第１実施形態の主な効果）
本構成では、第１識別票２０における所定の第１方向（具体的には長手方向）の一端部を識別票保持部１２の所定の支持部１２ｄに当て、第２識別票３０における所定の第２方向（具体的には長手方向）の一端部２１を支持部１２ｄに当て、第１識別票２０と第２識別票３０とを重ねて識別票保持部１２に保持した場合に、第２識別票３０の第２情報コードＣ２全体が、第１識別票２０における第１方向の他端部２２よりも支持部１２ｄから遠くなる構成となっている。このように構成されているため、第１識別票２０を保持させる場合には、第１方向の一端部２１を支持部１２ｄに当てるように保持させ、第２識別票３０を保持させる場合には第２方向の一端部３３を支持部１２ｄに当てるように保持させさえすれば、第２識別票３０に付された第２情報コードＣ２が第１識別票２０に隠れるようなことがなくなる。従って、それほど細かい配置を意識することなく第２情報コードＣ２を視認可能に配置しやすくなる。また、第１情報コードＣ１については、第１識別票２０を第２識別票３０の前側に配置すれば良く、仮に第１識別票２０を後ろ側に配置する場合でも、第１情報コードＣ１を露出する位置調整だけで済む。そして、このように一括読取のための準備を迅速かつ容易に行った上で、情報コード読取装置５０によって一括読取を行えば、両情報コードを短時間でより正確に読み取ることが可能となる。
【００４７】
また、第１識別票２０が長手状に構成されており、第１識別票２０の短手方向一方側の端部２１を支持部１２ｄに当て、第２識別票３０のいずれかの端部（端部３３又は端部３４）を支持部１２ｄに当てた構成で第１識別票２０と第２識別票３０とを重ねて識別票保持部１２に保持した場合に、第２識別票３０の第２情報コードＣ２の全体が、第１識別票２０の短手方向他方側の端部２２よりも支持部１２ｄから離れた位置に配置されるようになっている。このように、第２識別票３０の一部を第１識別票２０の短手方向他端側から飛び出させるように構成すれば、第２識別票３０において第１識別票２０に隠れる領域を極力狭くすることができる。
【００４８】
具体的には、第１識別票２０と第２識別票３０とがいずれも長手状に構成されており、第１識別票２０の短手方向一方側の端部２１を支持部１２ｄに当て、第２識別票３０の長手方向一方側の端部（端部３３等）を支持部１２ｄに当てた構成で第１識別票２０と第２識別票３０とを重ねて識別票保持部１２に保持した場合に、第２識別票３０の第２情報コードＣ２の全体が、第１識別票２０の短手方向他方側の端部２２よりも支持部１２ｄから離れた位置に配置されるようになっている。この構成によれば、第２識別票３０を第１識別票２０とは異なる向きに配置し且つ長手方向一方側の端部（端部３３等）を当接させるという簡単かつ明確な作業で第２識別票３０の第２情報コードＣ２を視認可能に配置することができる。
【００４９】
また、第１識別票２０の短手方向一方側の端部２１を支持部１２ｄに当て、第２識別票３０の長手方向他方側の端部３４を支持部１２ｄに当てた構成で第１識別票２０と第２識別票３０とを重ねて識別票保持部１２に保持した場合に、第２識別票３０の第２情報コードＣ２の全体が、第１識別票２０の短手方向他方側の端部２２よりも支持部１２ｄから離れた位置に配置される。この構成では、第２識別票３０を長手方向一方側から挿し込んで当接させても、長手方向他方側から挿し込んで当接させても、いずれの場合でも第２情報コードＣ２が第１識別票２０に隠れずに視認可能となる。従って、第２識別票３０の向きを強いることなく一層の作業の容易化、迅速化を図ることができる。また、第２識別票３０をどちらの向きに挿し込んでも読み取りが可能となるため、挿し込みミスに起因する解読不良等も抑制しやすくなる。
【００５０】
また、識別票保持部１２は、支持部１２ｄが収容媒体１０において所定方向（横方向）に延び、且つ支持部１２ｄとは異なる第２支持部１２ｂが、支持部１２ｄの方向とは異なる方向（縦方向）に延びており、第１識別票２０のいずれかの端部２１を支持部１２ｄに当て且つ当該支持部１２ｄに当てられる端部とは異なる他の端部２３を第２支持部１２ｂに当て、第２識別票３０のいずれかの端部３３を支持部１２ｄに当て且つ当該支持部１２ｄに当てられる端部３３とは異なる他の端部３２を第２支持部１２ｂに当てた構成で第１識別票２０と第２識別票３０とを重ねて識別票保持部１２に保持した場合に、第１識別票２０の第１情報コードＣ１の全体が、第２識別票３０における第２支持部１２ｂとは反対側の端部３１よりも第２支持部１２ｂから離れた位置に配置されるようになっている。この構成では、第１識別票２０の他の端部２３を第２支持部１２ｂに当て、第２識別票３０の他の端部３２を第２支持部１２ｂに当てるという簡単な作業を追加するだけで、第２情報コードＣ２だけでなく、第１情報コードＣ１についても、第２識別票３０に隠れるリスクを抑えてより確実に視認可能とすることができる。
【００５１】
また、識別票保持部１２は、支持部１２ｄ及び第２支持部１２ｂとは異なる第３支持部１２ｃが、第２支持部１２ｂと対向する位置において支持部１２ｄの方向とは異なる方向（縦方向）に延びており、第１識別票２０のいずれかの端部２１を支持部１２ｄに当て且つ第２支持部１２ｂとは反対側の端部２４を第３支持部１２ｃに当て、第２識別票３０のいずれかの端部３３を支持部１２ｄに当て且つ当該支持部１２ｄに当てられる端部３３とは異なる端部３１を第３支持部１２ｃに当てた構成で第１識別票２０と第２識別票３０とを重ねて識別票保持部１２に保持した場合に、第１識別票２０の第１情報コードＣ１の全体が、第２識別票３０における第３支持部１２ｃとは反対側の端部よりも第３支持部１２ｃから離れた位置に配置されるようになっている。この構成では、第１識別票２０及び第２識別票３０のそれぞれの所定端部を第３支持部１２ｃに当てても、第１情報コードＣ１の視認確実性を高めることができる。特に、作業者が第１識別票２０及び第２識別票３０を第２支持部１２ｂと第３支持部１２ｃのどちらに当てるべきかを迷わなくても良く、一層の作業の容易化、迅速化を図ることができる。また、第１識別票２０及び第２識別票３０を第２支持部１２ｂ及び第３支持部１２ｃのどちらに当てても第１情報コードＣ１を視認させやすくなるため、当接位置のミスに起因する解読不良等も抑制しやすくなる。
【００５２】
［他の実施形態]
本発明は上記記述及び図面によって説明した実施形態に限定されるものではなく、例えば次のような実施形態も本発明の技術的範囲に含まれる。
【００５３】
上記実施形態では、第１識別票２０と第２識別票３０が挿し込まれる例を示したが、これ以外の他の種類の識別票（第３識別票等）が挿し込まれてもよい。この場合、例えば、第２識別票と同様の外形で第３識別票を構成し、第２情報コードと同様の位置に第３情報コードを配置し、第２識別票からずれた位置に縦向きに第３識別票を挿し込むようにすれば、第１情報コード、第２情報コード、第３情報コードがいずれも視認可能な状態で配置されることになる。
【００５４】
第２識別票３０は、図１、図４等に示す構成からある程度変形してもよい。例えば、図１、図４の構成から、第２情報コードＣ２よりも端部３４寄りの部分を省略してもよい。また、幅Ｈ２が、横方向の長さと同程度であってもよく、横方向の長さよりも長くてもよい。
【００５５】
第１識別票２０は、幅Ｈ１が横方向の長さと同程度であってもよく、横方向の長さよりも長くてもよい。
【００５６】
上述の収容媒体１０は、図１のように単一で構成してもよく、図６のように複数の収容媒体１０をそれぞれ積み重ねて段積みで構成してもよい。図６のように段積みで構成する場合、いずれの収容媒体１０の識別票保持部１２も同じ側に面するように配置し、各識別票保持部に対して、上述したいずれかの配置方法（第１識別票２０及び第２識別票３０についての上述したいずれかの位置関係）を用いて図６のように各収容媒体１０において一括して読み取るための準備をそれぞれ行い、その後、各収容媒体１０に対して順番に一括読取を行うようにすれば、複数の収容媒体１０の各一括読取を非常に効率的に行うことができる。
【００５７】
上記実施形態では、第１情報コードＣ１、第２情報コードＣ２の例としてＱＲコード（登録商標）を例示したが、第１情報コードＣ１、第２情報コードＣ２のいずれか又は両方がこれ以外の二次元コード（データマトリックスコードやマキシコード等）であってもよく、バーコード等の公知の一次元コードであってももよい。
【符号の説明】
【００５８】
１…情報コード読取システム
１０…収容媒体
１２…識別票保持部
１２ｄ…支持部
１２ｂ…第２支持部
１２ｃ…第３支持部
２０…第１識別票
３０…第２識別票
５０…情報コード読取装置
５３…受光センサ（撮像部）
７０…制御回路（解読部）
【図１】
2014149710.tif 000003
【図２】
2014149710.tif 000004
【図３】
2014149710.tif 000005
【図４】
2014149710.tif 000006
【図５】
2014149710.tif 000007
【図６】
2014149710.tif 000008
【図７】
2014149710.tif 000009